(57)【要約】      （修正有）【課題】意匠性を向上させながら前面開口部を省スペースで開放，閉鎖することができるシステムキッチンを提供する。【解決手段】前面開口部を有する複数の収納スペース２７が横並びに設けられたシステムキッチン１０において、横並びに配置された複数の前面開口部の前側における横方向の全長に亘って設けられた単一の軌道Ｌと、この単一の軌道Ｌ上を移動するとともに、複数の収納スペースの数よりも少ない数の引き戸３とを備える。【選択図】図１
0003199861.tif 000002
【実用新案登録請求の範囲】
【請求項１】
前面開口部を有する複数の収納スペースが横並びに設けられたシステムキッチンにおいて、
横並びに配置された複数の前記前面開口部の前側における横方向の全長に亘って設けられた単一の軌道と、
前記単一の軌道上を移動するとともに、前記収納スペースの数よりも少ない数の引き戸と、を備えている
ことを特徴とする、システムキッチン。
【請求項２】
前記引き戸は複数備えられ、
前記複数の収納スペースの一部であって前記前面開口部が開放される開放スペースは、前記複数の収納スペースの残部であって前記前面開口部が前記複数の引き戸によって閉鎖される閉鎖スペースの相互間に配置されている
ことを特徴とする、請求項１記載のシステムキッチン。
【請求項３】
前記引き戸は複数備えられ、
前記複数の引き戸を前記単一の軌道に沿って可動に支持するガイドレールと、
前記複数の引き戸のそれぞれに設けられ、前記ガイドレールを走行する走行部材と、を備え、
前記ガイドレール及び前記走行部材が、前記複数の引き戸の後面側に配置されている
ことを特徴とする、請求項１又は２記載のシステムキッチン。
【考案の詳細な説明】
【技術分野】
【０００１】
本考案は、複数の収納スペースが横並びに設けられたシステムキッチンに関する。
【背景技術】
【０００２】
台所に設けられる流し台（シンク），調理台，ガス台（ガスコンロ），収納スペース等が組み合わされて一体化されたシステムキッチンが普及している。一般に、システムキッチンは、複数の収納スペースが横並びに設けられた下部ユニットと、この下部ユニットの上部に設けられた天板とを有する。
【０００３】
このようなシステムキッチンにおいて、各収納スペースは、前面（正面）において開口した前面開口部を有する。通常、この前面開口部には、枢や蝶番などによって開閉する開き戸や、前後方向にスライドして開閉する引出しが設けられる（例えば特許文献１参照）。
【先行技術文献】
【特許文献】
【０００４】
【特許文献１】特開2013-39228号公報
【考案の概要】
【考案が解決しようとする課題】
【０００５】
しかしながら、上述のような開き戸や引出しが設けられる場合、システムキッチンの手前（前方）には、これらの開き戸や引出しを開閉するためのスペースが必要になる。そのため、システムキッチンのレイアウトやサイズが制限される虞がある。
【０００６】
これに対し、例えば、開き戸の幅寸法を抑えることによって、開き戸の開閉操作に要するスペースを縮小することが考えられる。しかしながら、この場合、個々の開き戸のサイズが小さくなるため、システムキッチンの前面に設けられる開き戸の個数の増加を招く。開き戸の個数が増加すると、システムキッチンの前面に露出する線（各開き戸の輪郭線）が増加するため、システムキッチンの意匠性が低下する可能性がある。
【０００７】
本件は、上記のような課題に鑑み創案されたものであり、意匠性を向上させながら前面開口部を省スペースで開放，閉鎖することができるようにしたシステムキッチンを提供することを目的の一つとする。なお、この目的に限らず、後述する「考案を実施するための形態」に示す各構成により導かれる作用効果であって、従来の技術によっては得られない作用効果を奏することも本件の他の目的として位置づけることができる。
【課題を解決するための手段】
【０００８】
（１）ここで開示するシステムキッチンは、前面開口部を有する複数の収納スペースが横並びに設けられたものである。本システムキッチンは、横並びに配置された複数の前記前面開口部の前側における横方向の全長に亘って設けられた単一の軌道と、前記単一の軌道上を移動するとともに、前記収納スペースの数よりも少ない数の引き戸と、を備えている。
【０００９】
（２）前記引き戸は複数備えられ、前記複数の収納スペースの一部であって前記前面開口部が開放される開放スペースは、前記複数の収納スペースの残部であって前記前面開口部が前記複数の引き戸によって閉鎖される閉鎖スペースの相互間に配置されていることが好ましい。
（３）前記引き戸は複数備えられることが好ましい。この場合、前記システムキッチンは、前記複数の引き戸を前記単一の軌道に沿って可動に支持するガイドレールと、前記複数の引き戸のそれぞれに設けられ、前記ガイドレールを走行する走行部材と、を備えていることが好ましい。また、この場合、前記ガイドレール及び前記走行部材が、前記複数の引き戸の後面側に配置されていることが好ましい。なお、ここでいう後面とは、前記引き戸の前面とは逆向きの面であり、前記収納スペースに対向する面である。
【考案の効果】
【００１０】
開示のシステムキッチンによれば、引き戸を備えていることにより、開き戸を備えるものと比較して前面開口部を省スペースで開放，閉鎖することができ、意匠性を高めることもできる。また、複数の引き戸が単一の軌道上を移動することによって、これらの引き戸をフラットに（同一平面上に）配置することができる。したがって、開示のシステムキッチンによれば、意匠性を向上させながら前面開口部を省スペースで開閉することができる。
【図面の簡単な説明】
【００１１】
【図１】一実施形態に係るシステムキッチンの斜視図である。
【図２】図１のシステムキッチンの分解斜視図であり、引き戸が取り外された状態を示す。
【図３】図１のシステムキッチンの要部を示す縦断面図（図１のＡ−Ａ矢視断面図）である。
【考案を実施するための形態】
【００１２】
図面を参照して、一実施形態としてのシステムキッチンについて説明する。なお、以下に示す実施形態はあくまでも例示に過ぎず、以下の実施形態で明示しない種々の変形や技術の適用を排除する意図はない。
以下の説明では、システムキッチンの中心に対して正面側を前方とし、背面側を後方とする。また、システムキッチンの正面視を基準にして左右を定め、左右方向を横方向ともいう。
【００１３】
［１．構成］
図１に示すように、本実施形態に係るシステムキッチン１０は、下部ユニット２と、下部ユニット２の上部に設置された天板１とを有する。このシステムキッチン１０は、いわゆるＩ型と呼ばれる形状のものであり、外観形状が横長な直方体形状をなす。ただし、本考案に係るシステムキッチンの形状はこれに限定されない。例えば、Ｌ型のものの一部に適用することも可能である。以下、天板１，下部ユニット２の各構成について順に説明する。
【００１４】
図２に示すように、天板１は、システムキッチン１０の上部を構成するものであり、キッチンカウンターとして機能する。天板１の平面視形状は、横長な矩形状をなす。天板１には、ガスコンロや電磁調理器等の加熱機器を設置するスペース（加熱スペース）１Ａ，調理台として使うスペース（調理スペース）１Ｂ及びシンクを設置するスペース（シンクスペース）１Ｃが、左から右に向かってこの順で横並びに設けられる。これらの加熱スペース１Ａ，調理スペース１Ｂ及びシンクスペース１Ｃは、天板１において互いに略等しい大きさを占めるように形成される。すなわち、天板１では、横方向に等分された三つの領域がそれぞれ加熱スペース１Ａ，調理スペース１Ｂ，シンクスペース１Ｃとして機能する。なお、これらのスペース１Ａ，１Ｂ，１Ｃの順序は上述のものに限定されない。
【００１５】
下部ユニット２は、システムキッチン１０の下部を構成するものであり、床面に設置されて天板１の土台として機能する。下部ユニット２は、横並びに配置された三つの箱体２０と、これら三つの箱体２０の左右両側に配置された二枚のサイドパネル２５と、三つの箱体２０の下方に配置された巾木２６とを有する。また、各箱体２０は、一対の側板２１，２１と、背板２２と、底板２３と、前桟２４とを有し、上面及び前面が開放された箱型に形成される。下部ユニット２を構成するこれらの部材２１〜２６は、何れも平板である。
【００１６】
本実施形態では、三つの箱体２０が何れも等しい形状及び大きさに形成される場合について説明する。各箱体２０を構成する部材２１〜２３のうち、側板２１及び背板２２は鉛直に立設され、底板２３は水平に設けられる。一対の側板２１，２１は、互いに左右に離隔した位置で向かい合うように配置される。背板２２は、一対の側板２１，２１の上下方向に延びる各後縁部の間に配置される。背板２２の左右両縁部は、一対の側板２１，２１の後縁部にそれぞれ結合される。
【００１７】
底板２３は、一対の側板２１，２１の間に配置される。底板２３の左右両縁部は、一対の側板２１，２１の各下端よりもやや上方の部分にそれぞれ結合される。また、底板２３の後縁部は、背板２２の下端よりもやや上方の部分に結合される。
前桟２４は、一対の側板２１，２１の前縁部の間に掛け渡される横長な部材である。前桟２４の左右両端部は、各側板２１の前端の上部に結合される。
【００１８】
側板２１，背板２２，底板２３及び前桟２４によって区画される空間は、収納スペース２７として機能する。収納スペース２７は、その前面において開口した前面開口部を有する。この前面開口部は、具体的には、側板２１の各前縁部と、底板２３の前縁部と、前桟２４とによって囲まれる矩形状の部位である。前面開口部は、収納スペース２７へ物を出し入れするための出し入れ口として使用される。
【００１９】
三つの箱体２０は、隣り合うもの同士が互いに結合される。本実施形態では、三つの箱体２０が横並びに配置されることから、三つの収納スペース２７も横並びに設けられる。また、これらの収納スペース２７の三つの前面開口部は、左右方向に延びる一つの鉛直面上で横並びに配置される。
【００２０】
三つの収納スペース２７は、何れも上面が天板１によって被覆される。すなわち、左側の収納スペース２７の上面は天板１の加熱スペース１Ａによって被覆され、中央の収納スペース２７の上面は天板１の調理スペース１Ｂによって被覆され、右側の収納スペース２７の上面は天板１のシンクスペース１Ｃによって被覆される。以下、左側，中央，右側の収納スペース２７を互いに区別する場合は、それぞれ２Ａ，２Ｂ，２Ｃと符号を付して説明する。
【００２１】
なお、本実施形態では複数の箱体２０を横並びに配置することで複数の収納スペース２７が横並びに設けられる場合を例示するが、これに代えて、一つの横長な空間を複数枚の隔壁で仕切ることで複数の収納スペースが横並びに設けられるようにしてもよい。また、複数の箱体２０は、上述のように何れも等しい形状及び大きさに形成されるものに限られず、例えば、上述の箱体２０と、この箱体２０に比べて横方向の長さがその整数倍（例えば二倍）に形成された箱体とが適用されてもよい。
【００２２】
サイドパネル２５は、下部ユニット２の意匠性を高めるためのものであり、三つの箱体２０の側板２１のうち横方向の最も外側に配置される二つの側板２１（左側の箱体２０の左側の側板２１及び右側の箱体２０の右側の側板２１）を覆うように設けられ、これらの側板２１にそれぞれ結合される。本実施形態のサイドパネル２５は、側板２１と比べて上下方向（高さ方向）の寸法が等しく、前後方向の寸法が長く形成されている。サイドパネル２５は、側板２１よりも前方に突出して設けられる。なお、サイドパネル２５の形状はこれに限られず、例えば箱体２０や天板１などの形状に応じて適宜変更されうる。また、システムキッチン１０が側板２１と平行に延びる壁面に接近して設けられる場合には、サイドパネル２５を省略して、側板２１を壁面に接触させて配置してもよい。
【００２３】
巾木２６は、側板２１及び背板２２の、底板２３よりも下方の部分（箱体２０の脚部）を隠すためのものであり、底板２３の下方に配置され、二枚のサイドパネル２５の間の全長にわたって横方向に延設される。巾木２６の左右両端部は、二枚のサイドパネル２５，２５の前端よりもやや後方の部分にそれぞれ結合される。また、本実施形態では、各側板２１の前端の下部が切り欠かれ、巾木２６の上縁部が底板２３の前縁部よりもやや後方の部分に結合されている。
【００２４】
次に、図１を参照して、本実施形態に係るシステムキッチン１０の要部の構成について説明する。図１に示すように、システムキッチン１０は、前面の意匠性を高めるための引き戸３と、この引き戸３のスライド移動をガイドするガイドレール４及び走行部材６とを備えている。引き戸３は、収納スペース２７の数よりも少ない数備えられる。本実施形態では、三つの収納スペース２７に対し、二つの引き戸３が設けられる場合を例示する。なお、ガイドレール４は、本実施形態ではガイド溝４ａを備えた溝付きレールであるが、突条を備えたレールであってもよい。
【００２５】
各引き戸３は、システムキッチン１０の前面を形成する平板であって、三つの前面開口部のうちの何れか一つを閉鎖して、対応する収納スペース２７を正面から覆うことで収納品が外観されないようにするものである。
【００２６】
各引き戸３は、互いに等しい形状及び大きさを有する。引き戸３の平面視形状は、前面開口部の開口よりもやや大きな矩形状をなす。引き戸３の上縁部は、天板１の下面に近接して配置される。また、引き戸３の下縁部は、底板２３の下面（すなわち巾木２６の上縁部）と略等しい高さに配置される。つまり、引き戸３は、システムキッチン１０の正面視で天板１と巾木２６との間の上下方向における略全長に亘って配置される。
【００２７】
二つの引き戸３，３は、左右方向に延びる一つの鉛直面上（同一平面上）で横並びに配置される。また、これらの引き戸３，３は、横並びに配置された前面開口部の前側における横方向の全長に亘って設けられた単一の軌道Ｌ上で移動するように配設される。すなわち、これらの引き戸３，３は、互いに前後に重なって配置されることがなく、常に横方向に並んで配置される。
【００２８】
ガイドレール４と走行部材６とは、何れも、前面開口部の前側かつ引き戸３の後面側に配置されている。ガイドレール４は、下部ユニット２に対して上下一対に設けられる。また、走行部材６は、各引き戸３の上部と下部とのそれぞれに対して二つずつ設けられる。すなわち、本実施形態のシステムキッチン１０には、各引き戸３に四つずつ設けられた合計八つの走行部材６と、二つのガイドレール４とが設けられる。
【００２９】
ガイドレール４は、引き戸３を単一の軌道Ｌに沿って可動に支持するものであり、各前面開口部の前側で、下部ユニット２の横方向における全長（すなわち左右のサイドパネル２５，２５の間の全長）に亘って水平方向に延設される。上側のガイドレール４は、各前桟２４の上端部の前側に固定される。また、下側のガイドレール４は、底板２３の前縁部に固定される。
【００３０】
図３に示すように、上側のガイドレール４は、下方に向けて開放された凹状のガイド溝４ａを有し、下側のガイドレール４は、上方に向けて開放された凹状のガイド溝４ａを有する。これらのガイド溝４ａ，４ａは、ガイドレール４，４の長手方向における全長に亘って延設される。
【００３１】
上下のガイド溝４ａの少なくとも何れか一方には、引き戸３の移動を規制する図示しない突起（ストッパ）が設けられる。この突起は、引き戸３が位置しうる横方向の最も外側の位置を規定するものである。本実施形態では、システムキッチン１０の正面視において、引き戸３が横方向における最も外側の二枚の側板２１と重複して位置しうるように、突起の位置が設定されている。なお、このような突起に代えて、例えばガイド溝４ａをガイドレール４の長手方向の全長よりもやや短く形成し、ガイドレール４の各両端部によって引き戸３の移動が規制されるようにしてもよい。
【００３２】
走行部材６は、ガイドレール４のガイド溝４ａを長手方向に沿って走行するローラであって、ガイド溝４ａに収まる幅寸法を有するように形成される。各ローラ６は、引き戸３の後面に固定されたブラケット６１と、ブラケット６１に一端を支持された軸部材６２とを介して、引き戸３に取り付けられる。
【００３３】
なお、ローラ６及び軸部材６２は、図示しないストッパによってブラケット６１に対する上下方向の位置が固定されている。言い換えると、このストッパを外すことで、ローラ６及び軸部材６２はブラケット６１に対して上下方向に変位可能となる。引き戸３を下部ユニット２に取り付ける際には、このストッパを外してローラ６の位置を調整し、各ローラ６の周面がガイド溝４ａの底面（最も窪んだ面）に当接するようにした後、ストッパでローラ６の位置を再び固定する。これにより、各ローラ６がガイド溝４ａに沿って安定して走行できるようになるとともに、引き戸３が下部ユニット２に対してスライド自在に取り付けられる。
【００３４】
各引き戸３は、各ローラ６がガイドレール４のガイド溝４ａを走行することによってガイドされながら、軌道Ｌ上を横方向にスライドする。ただし、各引き戸３は、通常は三つの収納スペース２７のうちの一つを閉鎖するように使用される。したがって、収納スペース２７の一部は、通常は前面開口部が開放されて使用される開放スペースとなり、収納スペース２７の残部は、通常は前面開口部が引き戸３によって閉鎖されて使用される閉鎖スペースとなる。
【００３５】
図１に示す例では、中央の収納スペース２Ｂが開放スペースであり、左側の収納スペース２Ａ及び右側の収納スペース２Ｃが何れも閉鎖スペースである。このように、システムキッチン１０では、開放スペースが閉鎖スペースの相互間に配置されている。
【００３６】
なお、このシステムキッチン１０において閉鎖スペースへの物の出し入れをする場合には、引き戸３を開放スペース（すなわち中央の収納スペース２Ｂ）の前面開口部の前側へとスライド移動させる。これにより、閉鎖スペース（すなわち左側の収納スペース２Ａ又は右側の収納スペース２Ｃ）の前面開口部が開放され、閉鎖スペースへの物の出し入れが可能となる。
【００３７】
［２．作用，効果］
（１）上述のように、システムキッチン１０は、収納スペース２７の数よりも少ない数の引き戸３を備えている。引き戸３は、横並びに配置された複数の前面開口部の前側における横方向の全長に亘って設けられた単一の軌道Ｌ上を移動する。そのため、引き戸３が横方向に移動することによって、前面開口部が開放，閉鎖される。つまり、上記のシステムキッチン１０によれば、引き戸３が単一の軌道Ｌ上を横方向に移動して開閉する。そのため、開き戸を備えるものと比較して、前面開口部を省スペースで開放，閉鎖することができる。また、シンプルな外観となり、意匠性を向上させることができる。
【００３８】
また、通常、複数の引き戸が設けられる場合、個々の引き戸は互いに異なる軌道上を移動するように配置される。このような引き戸がシステムキッチンの前面に適用された場合、各引き戸は互いに前後にオフセットして配置されるため、システムキッチンの前面に段差が生じ、意匠性が損なわれる虞がある。
【００３９】
これに対し、上記のシステムキッチン１０に備えられた複数の引き戸３は、単一の軌道Ｌ上を移動する。そのため、これらの引き戸３をフラットに（同一平面上に）配置することができる。したがって、システムキッチン１０によれば意匠性を向上させることができる。
【００４０】
また、システムキッチン１０では、上述のように複数の引き戸３が同一平面上に配置されることによって、各引き戸３の間や、引き戸３と下部ユニット２との間に生じうる隙間のサイズを抑制することができる。そのため、これらの隙間から閉鎖スペース内へ虫が侵入することを抑制することができる。
【００４１】
また、引き戸３は、横方向に移動して開閉するため、開き戸に設けられるような取っ手が省略されたとしても、比較的容易に開閉操作することができる。そのため、システムキッチン１０に引き戸３を適用し、開き戸に設けられるような取っ手を省略することにより、開閉操作性の低下を抑制しながらシステムキッチン１０の前面をフラット化することができる。したがって、上記のシステムキッチン１０によれば、この点においても開き戸を備えるものと比較して意匠性を向上させることができる。
【００４２】
さらに、上記のシステムキッチン１０によれば、収納スペース２７の数よりも少ない数の引き戸３が備えられるため、複数の収納スペース２７の一部が開放スペースとして使用される。そのため、開放スペースとして使用される収納スペース２７に物を出し入れする場合には、引き戸３を開閉する操作を省略することができる。したがって、例えば、使用頻度が比較的高い物を開放スペースに収納しておくことにより、物の出し入れを容易に行うことができ、収納スペース２７の利便性を高めることができる。
【００４３】
（２）上記のシステムキッチン１０では、引き戸３が複数備えられ、開放スペースが閉鎖スペースの相互間に配置されている。具体的には、二つの引き戸３が、三つの収納スペース２７のうち左右両側の二つの収納スペース２Ａ，２Ｃの前面開口部をそれぞれ閉鎖する位置に設けられる。そのため、閉鎖スペースである収納スペース２Ａ，２Ｃの何れかに物を出し入れする場合、対応する引き戸３を開けやすくすることができる。言い換えると、閉鎖スペースの前面開口部を容易に開放することができる。したがって、収納スペース２７の利便性をより向上させることができる。
【００４４】
（３）上記のシステムキッチン１０では、ガイドレール４とローラ６とが、複数の引き戸３の後面側に配置されている。これにより、システムキッチン１０の正面視では、各引き戸３によってガイドレール４が部分的に覆われ、各ローラ６がその全体を覆われる。したがって、システムキッチン１０によれば、ガイドレール４とローラ６との露出量を低減することができる。したがって、意匠性をより高めることができる。
【００４５】
（４）上記のシステムキッチン１０では、各収納スペース２７が互いに等しい形状及び大きさの箱体２０によって形成される。このように複数の同一の箱体２０を用いることによって、複数の収納スペース２７を容易に形成することができる。また、複数の収納スペース２７を互いに等しい形状及び大きさとすることにより、それらの前面開口部も互いに同一の形状及び大きさとなることから、引き戸３による複数の前面開口部の開放，閉鎖の切り替えをしやすくすることができる。
【００４６】
［３．その他］
上述した実施形態に関わらず、それらの趣旨を逸脱しない範囲で種々変形して実施することができる。本実施形態の各構成は、必要に応じて取捨選択することができ、あるいは適宜組み合わせてもよい。
【００４７】
上述の実施形態では、三つの収納スペース２７と二つの引き戸３とが設けられる場合を例示したが、これらの個数は変更可能である。収納スペースの個数は二以上であればよく、引き戸の個数は収納スペースの個数よりも少ない個数であればよい。例えば、四つの収納スペースに対して三つの引き戸が設けられる構成としてもよく、四つの収納スペースに対して二つの引き戸が設けられる構成としてもよく、二つの収納スペースに対して一つの引き戸が設けられる構成としてもよい。
【００４８】
また、上述の実施形態では、複数の収納スペース２７が同様の形状及び大きさを有する場合を例示したが、これらの収納スペース２７は互いに異なる形状及び大きさを有するものであってもよい。同様に、複数の引き戸３が備えられる場合には、複数の引き戸３も互いに異なる形状及び大きさを有するものであってもよい。ただし、収納スペース２７の利便性を考慮すれば、引き戸３の形状及び大きさは、何れの収納スペース２７の前面開口部も開放，閉鎖の切り替えが可能となるように設定されることが好ましい。
【００４９】
また、上述の実施形態では、開放スペースが閉鎖スペースの相互間に配置される一例として、三つの収納スペース２７のうち中央の収納スペース２Ｂが開放スペースとして使用され、左右両側の収納スペース２Ａ，２Ｃが閉鎖スペースとして使用される場合を示したが、これらの収納スペース２７は、少なくともその一部が開放スペースとして使用され、その残部が閉鎖スペースとして使用されればよい。すなわち、何れの収納スペース２７を開放スペース又は閉鎖スペースとして使用するのかは、ユーザが自由に設定することができる。
【００５０】
また、上記の収納スペース２７には、適宜、棚や引出し等が設けられてもよい。もちろん、この場合、引出しは軌道Ｌと干渉しないように設けられる。また、開放スペースには、棚が設けられることが好ましい。開放スペースに棚を設ければ、システムキッチン１０の美観や実用性や使用感をより高めることができる。
【００５１】
また、上述の実施形態では、ガイドレール４が下部ユニット２とは別部材で形成される場合を示したが、例えば上記のガイドレール４を省略し、走行部材６が走行可能なガイド溝を下部ユニット２に直接形成してもよい。さらに、上述の実施形態で示した走行部材６の形状や個数は一例であり、変更可能である。走行部材６は、少なくともガイドレール４を走行するものであればよく、例えば、ガイドレール４に沿って摺動する面を備えた摺動体であってもよい。この場合、摺動体は、引き戸３の左右方向に互いに間隔をあけて複数設けられてもよいし、引き戸３の左右方向の全長に亘って設けられてもよい。
【符号の説明】
【００５２】
２Ａ  左側の収納スペース（閉鎖スペース）
２Ｂ  中央の収納スペース（開放スペース）
２Ｃ  右側の収納スペース（閉鎖スペース）
３  引き戸
４  ガイドレール
６  ローラ（走行部材）
１０  システムキッチン
２７  収納スペース
Ｌ  単一の軌道
【図１】
0003199861.tif 000003
【図２】
0003199861.tif 000004
【図３】
0003199861.tif 000005